(57)【要約】【課題】  外出して自宅を留守等にしている間にはセキュリティ装置として機能し、さらに、種類の異なるセンサーを複数接続することが可能なインターネット電話機の提供。【解決手段】  インターネットを介して音声及び画像を送受信可能とした、セキュリティ機能を有するインターネット電話機であって、該電話機は、センサーを接続可能な制御装置、ハンドセット、及びハンドセットホルダーにより構成され、該セキュリティ機能は、センサーが異常を感知した際に、該ハンドセットのボタンのうち事前設定されたボタンが押されたものとする情報をコンピュータに送信し、該設定ボタンに対して事前登録された入力キー、及び該入力キーに対応して事前定義された動作設定に従って、コンピュータを自動操作して異常を通知させる。  【選択図】  図１
2005321990.tif 000002
【特許請求の範囲】
【請求項１】
インターネットを介して音声及び画像を送受信可能とした、セキュリティ
機能を有するインターネット電話機であって、
該電話機は、センサーを接続可能な制御装置、ハンドセット、及びハンドセットホルダーにより構成され、
該制御装置は、
センサーが異常を感知した際に、該ハンドセットのボタンのうち事前設定されたボタンが押されたものとする情報をコンピュータに送信し、
該設定ボタンに対して事前登録された入力キー、及び該入力キーに対応して事前定義された動作設定に従って、コンピュータを自動操作して異常を通知させることを特徴とするインターネット電話機。
【請求項２】
制御装置及びハンドセットホルダーが、一体化して構成されたことを特徴とする請求項１記載のインターネット電話機。
【請求項３】
コンピュータに異常を通知させる手段が、インターネット電話、電子メール、一般電話、携帯電話、ポケットベル、のうちの少なくとも一であることを特徴とする請求項１乃至２の何れかに記載のインターネット電話機。
【請求項４】
制御装置は、種類の異なる二以上のセンサーが接続可能であることを特徴とする請求項１乃至３の何れかに記載のインターネット電話機。
【請求項５】
ハンドセットのボタンの事前設定と、該設定ボタンに対する入力キーの事前登録と、該入力キーに対応した動作設定の事前定義とが、センサーの種類ごとにそれぞれなされることを特徴とする請求項４記載のインターネット電話機。
【発明の詳細な説明】
【技術分野】
【０００１】
本発明は、インターネットを介して音声及び画像を送受信可能としたインターネット電
話機であって、特にセキュリティ機能が併設されたインターネット電話機に関する。  
【背景技術】
【０００２】
インターネットを介して音声及び画像を送受信可能とし、インターネット上で遠隔地の相手との相互通話を実現したインターネット電話が、近年急速に普及しつつある。
インターネット電話の利用に際しては、専用のマイクとスピーカー、あるいは専用のヘッドセット等の装置が必要とされ、キーボードやマウス等による入力作業が従来不可欠であったが、これに対して、入力機能やマウス機能等を一つの筐体に収容してハンドセットを構成したインターネット電話機を開発したものとして、例えば特許文献１がある。
【０００３】
【特許文献１】特開２００３−２８９３６５
【０００４】
一方で、一般家庭等に設置されるセキュリティ装置としては、警備会社によって設置される専用機器等のほか、自宅のコンピュータに制御プログラムをインストールしておき、センサーが反応した際に、警備会社等に自動で通報するものが知られている。
【発明の開示】
【発明が解決しようとする課題】
【０００５】
従来のインターネット電話機においては、セキュリティ機能を併設したものはなく、インターネット電話機とセキュリティ装置とは、それぞれ別個に購入され設置されていた。
しかしながら、このような従来の方式によれば、多額のコストがかかる上に、外出して自宅を留守等にしている間は、インターネット電話機やコンピュータは使用されることがないため、せっかく高い費用をかけて設置した設備を効率的かつ十分に活用できないという状況が生じていた。
【０００６】
また、従来のセキュリティ装置によれば、単一のセンサーの反応に対して、複数箇所への同時通知は設定可能であるが、種類の異なるセンサーを複数設置する場合には、それぞれのセンサーの種類ごとに装置（制御装置）を設置する必要があり、コストが高くなり、メンテナンスの手間もかかるという問題があった。
【０００７】
本発明は、上記問題点に鑑みてなされたものであり、外出して自宅を留守等にしている間にはセキュリティ装置として機能し、さらに、種類の異なるセンサーを複数接続することが可能な、インターネット電話機を提供するものである。
【課題を解決するための手段】
【０００８】
上記の課題を解決するために、請求項１記載のインターネット電話機は、インターネットを介して音声及び画像を送受信可能とした、セキュリティ機能を有するインターネット電話機であって、該電話機は、センサーを接続可能な制御装置、ハンドセット、及びハンドセットホルダーにより構成され、該制御装置は、センサーが異常を感知した際に、該ハンドセットのボタンのうち事前設定されたボタンが押されたものとする情報をコンピュータに送信し、該設定ボタンに対して事前登録された入力キー、及び該入力キーに対応して事前定義された動作設定に従って、コンピュータを自動操作して異常を通知させることを要旨とする。
【０００９】
請求項２記載のインターネット電話機は、請求項１記載の構成において、制御装置及びハンドセットホルダーが、一体化して構成されたことを要旨とする。
【００１０】
請求項３記載のインターネット電話機は、請求項１乃至２の何れかに記載の構成において、コンピュータに異常を通知させる手段が、インターネット電話、電子メール、一般電話、携帯電話、ポケットベル、のうちの少なくとも一であることを要旨とする。
【００１１】
請求項４記載のインターネット電話機は、請求項１乃至３の何れかに記載の構成において、制御装置は、種類の異なる二以上のセンサーが接続可能であることを要旨とする。
【００１２】
請求項５記載のインターネット電話機は、請求項４記載の構成において、ハンドセットのボタンの事前設定と、該設定ボタンに対する入力キーの事前登録と、該入力キーに対応した動作設定の事前定義とが、センサーの種類ごとにそれぞれなされることを要旨とする。
【発明の効果】
【００１３】
本発明によれば、外出により自宅を留守等にしている間に、インターネット電話機をセキュリティ装置として用いることができるため、従来、外出時にはその機能が眠ったままとなりがちであったインターネット電話機を、効率的かつ十分に活用することが可能となる。
【００１４】
また、本発明によれば、コンピュータ上のプログラムであれば、どのようなものでもハンドセットのキーに登録して起動、操作できるため、インターネット電話以外の用途への幅広い応用が可能となる。
また、コンピュータに異常を通知させる手段として、インターネット電話をはじめ、電子メール、一般電話、携帯電話、ポケットベル、など様々な形態を選択することができ、単なるインターネット電話のみの用途を超えて活用できるため非常に便利であり、コストパフォーマンスが向上する。
【００１５】
さらに、本発明によれば、種類の異なったセンサーを、一つの制御装置に接続して共存させることができるため、各センサーを単品でそれぞれ設置する場合に比較して、大幅なコストダウンが図れ、メンテナンスも一つの装置についてのみ行えば足りるため、非常に便利である。
【発明を実施するための最良の形態】
【００１６】
本発明に係るインターネット電話機は、図１（ａ）に示すように、制御装置（２）、ハンドセット（３）、ハンドセットホルダー（４）とから構成される。制御装置（２）とハンドセットホルダー（４）とは、ケーブル（５）及び端子（６）によって接続される。接続にはＵＳＢやＲＳ−２３２Ｃ等を用いる。
ハンドセット（３）は、マイク、スピーカー、数字ボタン（テンキー）、通話ボタン等から構成され、音声入力、音声出力、呼出、ボタン情報入力、回線接続・断線等、通常のハンドセットが有する諸機能を備えたものである。
ハンドセットホルダー（４）は、ハンドセット（３）を載置するために用いるが、図1（ｂ）に示すように、制御装置（２）とハンドセットホルダー（４）とを一体化して構成してもよい。
【００１７】
本発明に係るインターネット電話機は、図１に示すように、コンピュータ（１）と接続して用いられるものである。
本発明において「コンピュータ」とは、インターネットテレビ電話を利用可能なパーソナルコンピュータ等を指すものとし、主制御部、記憶装置、入力装置、表示装置、出力装置、テレビ電話用モニターカメラ等を有し、ネットワークに接続されてインターネットが利用できる環境にあるものとする。また、本発明のインターネット電話機が使用可能なように所定のＣＰＵ、メモリが搭載され、さらに所定のＯＳ（Operating system）がインストールされているものとする。
【００１８】
制御装置（２）は、図１に示すように、ケーブル（５）及び端子（６）（ＵＳＢ、ＲＳ−２３２Ｃ等）によって、コンピュータ（１）と接続される。制御装置（２）には、接続ポート（７）が設けられており、接続ポート（７）を介して一又は二以上のセンサーが接続される。接続ポート（７）は、設置するセンサーの数や種類によって、複数設けてもよい。
制御装置（２）は、センサーやハンドセット（３）から送信された情報をコントロールし、コンピュータ（１）に情報を送る機能を有するものである。
センサーは、マグネットセンサー、熱センサー、温度センサー、ガスセンサー、圧力センサー、音センサー、光センサー等、本発明のユーザーが所望するセキュリティの用途に応じて、様々な種類のセンサーを用いることができる。センサーは、異常を感知したか否か（ＯＮ／ＯＦＦ）の二値の信号を、制御装置（２）に送ることができるものであればよい。    
【００１９】
通常、コンピュータの動作は、キーボードやマウスといった入力装置によって、直接的にコマンド等の情報入力を行うことによって行われるが、本発明では、事前にキーコードを登録しておくことで、そのような直接的な入力手段によらずに、コンピュータを自動操作するものである。
キーコードとは、キーボードを押したときにコンピュータのプログラムに通知されるデータのことであるが、この通知されたデータを判別することによって、コンピュータのプログラムはその入力の判別を行う。すなわち、コンピュータは、どの文字が入力されたかではなく、どのキーコードが返ってきたかによって動作を行う。例えば、図３に示すように、入力キー「Ｉｎｓ」に対してはコード「０１４ｂ」というように、各キーに対して、それぞれ異なったキーコードが対応しており、コンピュータはこのキーコードを判別することにより動作を行う。
本発明は、あらかじめこのキーコードを入力キーを通じて登録し、さらに該キーコードに対応したコンピュータの動作設定をあらかじめ定義しておくことによって、コンピュータに所定の動作を自動的に実行させる仕組みを有するものである。
【００２０】
なお、本発明に係るインターネット電話機は、ユーザーが在宅時には、通常のハンドセットとして使用できるように、「在宅／外出ボタン」等の切り替え装置を有するものである。
該切り替え装置により在宅である設定を行っている場合には、ハンドセットホルダーのフックボタンからハンドセットを離すと、専用ソフトが自動起動して、インターネットテレビ電話が通話可能な状態となり、ハンドセットの数字ボタンを押すと、通常の数字情報として入力可能となるものである。
【実施例１】
【００２１】
本発明の第１の実施例を図面に基づいて説明する。
本実施例は、センサーが反応した際に、異常を通知する機能を有するインターネット電話機に関するものである。
【００２２】
図１は本発明に係るインターネット電話機の構成概略図、図２は本発明に係るインターネット電話機による処理の流れを示す図、図４は実施例１に係るキーコードの登録画面を示す図、図５は実施例１に係るキーコードと動作設定との関係を示す図である。
また図中、（１）はコンピュータ、（２）は制御装置、（３）はハンドセット、（４）はハンドセットホルダー、（５）はケーブル、（６）はＵＳＢ端子、（７）は接続ポートである。
【００２３】
本実施例に係る電話機は、図１に示すように、制御装置（２）、ハンドセット（３）、ハンドセットホルダー（４）により構成され、ハンドセットホルダー（４）と制御装置（２）、制御装置（２）とコンピュータ（１）とは、それぞれケーブル（５）とＵＳＢ端子（６）によって接続されている。
制御装置（２）には、接続ポート（７）を介してセンサーが接続されており、本実施例においては、図示は省略するが、マグネットセンサーが玄関扉等に取り付けされているものとし、さらに、各室にはコンピュータ（１）と接続されて遠隔操作可能なカメラが設置されている。
【００２４】
本実施例に係るインターネット電話機の使用に先立って、キーコード登録を行う（図２、Ｓ201）。キーコード登録は、図４に示すように、コンピュータ（１）のモニタ上で、設定することができるようになっている。
図４のように、ハンドセットが表示された画面（１１）上で、任意の一のボタンを、マウスでクリック等して選択すると、「ボタン設定」の画面（１２）において、選択したボタンが表示される。本実施例では、ハンドセットのボタンの「９」を選択設定している。
次に、図４のように、「入力キー設定」画面（１３）において、入力キーを登録し、さらに、「動作設定」の画面（１４）上で、起動アプリケーション、ＵＲＬ、命令が指示できるようになっているので、これらをマウスやキーボード等で入力する。本実施例においては、入力キーとして、「Ｔａｂ＆Ｅｎｔｅｒ」を指示し、起動アプリケーションとして、インターネットテレビ電話用のソフトを指定している。また、異常通知先のＵＲＬとして、勤務先のアドレスを指定している。
以上のようにして、入力キー（キーコード）を登録して、それに対応するコンピュータ（１）の動作設定を事前に定義しておく。センサーが異常を感知して信号を制御装置（２）に送ると、制御装置（２）は、それに対応して設定ボタンが押されたものとする情報をコンピュータ（１）に送る働きを行う。これにより、本実施例では、センサーが反応した際に、事前に設定されたボタン「９」が押されたものとして、制御装置（２）からコンピュータ（１）に信号が送られ、さらに、図５に示すごとく、当該設定ボタンに対して予め指示された入力キー「Ｔａｂ＆Ｅｎｔｅｒ」が入力されたものとして、キーコード「０００９０００ａ」に対応した「アプリケーション○○（インターネット電話用ソフト）を起動し、ＵＲＬ○○（勤務先アドレス）を指定して、インターネットテレビ電話によって通知する」という動作設定を実行すべく、コンピュータ（１）が自動操作されることとなる。
【００２５】
異常発生から異常通知にかけての処理の流れについて、図２に基づいて説明する。いま、ユーザーが外出して自宅を留守にしている間に、侵入者があった場合を想定する。
侵入者により玄関扉等が開閉されると（Ｓ202）、マグネットセンサーが異常を感知し、制御装置（２）に信号を送信する（Ｓ203）。すると制御装置（２）は、上述したように、設定ボタン「９」が押されたものとして、コンピュータ（１）に情報を送り、予め指示されたアプリケーションが起動する（Ｓ204）、さらに予め指示された動作設定によってコンピュータが自動操作される（Ｓ205）。本実施例では、インターネットテレビ電話によって、勤務先のコンピュータに異常が通知される（Ｓ206）。
【００２６】
このようにして、勤務先などに異常が通知された場合に、例えばＡＳＰによる遠隔操作システムを活用等することにより、現地に行かずに勤務先のコンピュータから自宅のコンピュータ（１）をリモートコントロールすることができる。本実施例では、各室に設置されたカメラを遠隔操作することで、カメラを通して家の中の様子を監視したり、侵入者の声や容姿を録音・録画することができる。また、スピーカーを通して侵入者を威嚇する声音を発するようにしてもよい。各室に設置するカメラは、可動範囲がなるべく広く死角が生じないものを用いることが好ましい。
なお、コンピュータ（１）に併設されるテレビ電話用のモニターカメラを通して、室内を監視することも可能である。
【００２７】
本実施例においては、コンピュータに異常を通知させる手段として、インターネット電話を用いたが、その他、電子メールや、一般電話、ポケットベル等、コンピュータ（１）上のプログラムが実行可能な種々の手段を用いることができる。
【００２８】
以上、本実施例によれば、異常が通知された場合に、遠隔地から自宅の様子を監視することができるため、自分で現地の様子をカメラを通して確認した上で、警察や警備会社等に通報することが可能となる。
【００２９】
また、コンピュータ（１）の遠隔操作によって、現地の様子を録音や録画して遠隔操作元のコンピュータに記録することができるため、仮に自宅のコンピュータ（１）を破壊されたり盗難された場合であっても、有力な証拠を残すことが可能となり、検挙率を大幅に上げることができるとともに、大きな犯罪抑止効果をもたらすことが期待できる。  
【実施例２】
【００３０】
本発明の第２の実施例を図面に基づいて説明する。
本実施例は、複数の種類のセンサーが設置され、各センサーが反応した際に、それぞれ登録された通知先に異常を通知する機能を有するインターネット電話機に関するものである。
【００３１】
図１は本発明に係る電話機の構成概略図、図２は本発明に係る電話機による処理の流れを示す図、図６は実施例２に係る接続ポートの選択画面を示す図、図７は実施例２に係るキーコードと動作設定との関係を示す図である。
また図中、（１）はコンピュータ、（２）は制御装置、（３）はハンドセット、（５）はケーブル、（６）はＵＳＢ端子、（７）は接続ポートである。
【００３２】
本実施例に係るインターネット電話機は、図１（ｂ）に示すように、制御装置（２）、ハンドセット（３）により構成されており、制御装置（２）がハンドセットホルダーを兼ねているものである。制御装置（２）とコンピュータ（１）とは、ケーブル（５）とＵＳＢ端子（６）によって接続されている。
制御装置（２）には、接続ポート（７）を介して熱センサー、ガスセンサー、生体センサーが接続されている（図示省略）。
本実施例においては、熱センサー、ガスセンサーは、台所等に設置され、生体センサーは、要介護者等のベッドに設置されているものとする。生体センサーは、要介護者等の脈拍や体温、心電図等を感知し、異常が生じた場合に反応して制御装置に信号を送るものである。
【００３３】
本実施例においても、前実施例同様に、コンピュータ（１）のモニタ上でキーコード登録を行うことができるようになっている。
本実施例では、制御装置（２）に複数の種類のセンサーが接続されているので、図６に示すごとく、「入力選択」画面（１５）において、「種類選択」によってセンサーの種類を選択し、「機種選択ウィンドウ」で接続ポート（「イ」、「ロ」、「ハ」とする）を選択する。本実施例においては、接続ポート「イ」「ロ」「ハ」には、それぞれ、熱センサー、ガスセンサー、生体センサーが接続されているものとする。
上記により、登録を行う接続ポートを選択した後は、前実施例と同様にして、「ボタン設定」、「入力キー設定」、「動作設定」の指示・登録を行う。図示しないが、本実施例においては、「動作設定」として「電話番号」や「命令」が指示できるようになっている。
以上を、各接続ポートごとに登録して、各センサーごとのコンピュータの動作設定を定義しておく。
【００３４】
本実施例では、熱センサーが反応した場合には、設定ボタン「１」が押されたものとして、制御装置（２）からコンピュータ（１）に信号が送られる。そして、図７に示すごとく、当該設定ボタンに対して予め指示された入力キー「Ｉｎｓ＆Ｅｎｄ」が入力されたものとして、キーコード「０１４ｂ０１６６」に対応した「消防署へ、電話にて通知する」という動作設定を実行すべく、コンピュータ（１）が自動操作されるようになっている。
同様にして、ガスセンサー、生体センサーが反応した場合には、それぞれ、設定ボタン「２」「３」が押されたものとして、図７に示すごとく、それぞれ「ガス会社○○へ、電話にて通知」「介護ヘルパー○○へ、電話にて通知」という動作設定を実行すべく、コンピュータ（１）が自動操作されることとなる。
【００３５】
異常発生から異常通知にかけての処理の基本的な流れについては、前実施例と同様であるが、本実施例では、台所等からの発火、ガス漏れに対しては、熱センサー、ガスセンサーがそれぞれ反応し、要介護者等の脈拍や体温の異常に対しては、生体センサーが反応する。
また、各センサーが異常を感知すると制御装置（２）に信号が送信され、コンピュータ（１）が自動起動するが、反応したセンサーに応じて、それぞれに予め定義された動作設定を実行すべく、コンピュータ（１）が自動操作される。
本実施例では、各センサーが反応したときに、一般電話によって、それぞれ消防署、ガス会社、介護士に通知されるようになっている。通知手段を、インターネット電話、電子メールその他の手段としてもよいことは、前実施例と同様である。
【００３６】
以上、本実施例によれば、種類の異なる複数のセンサーを一つの制御装置（２）に接続し、センサーの種類別に自動通知先を自由に設定することができるため、各センサーごとに制御装置（セキュリティ装置）を用意する必要がない。
【００３７】
また、センサーの種類に応じて通知先を細かく設定することができるため、例えば、生体センサーが反応したときに、消防署へ通知されてしまう、といった誤報を確実に防止することが可能となる。
【００３８】
さらに、制御装置（２）とハンドセットホルダー（４）とが一体化されて構成されているため、配線に煩わされることがなく、一層すっきりとしたデザインの電話機を提供することが可能である。
【産業上の利用可能性】
【００３９】
本発明に係るインターネットテレビ電話機は、セキュリティ機能を有するため、一般家庭はもちろん、会社や倉庫など、様々な場所に設置することができるものであり、産業上利用可能性を有する。
【図面の簡単な説明】
【００４０】
【図１】本発明に係るインターネット電話機の構成概略図である。
【図２】本発明に係るオインターネット電話機による処理の流れを示す図である。
【図３】特殊キーのキーコードを示す図である。
【図４】実施例１に係るキーコードの登録画面を示す図である。
【図５】実施例１に係るキーコードと動作設定との関係を示す図である。
【図６】実施例２に係る接続ポートの選択画面を示す図である。
【図７】実施例２に係るキーコードと動作設定との関係を示す図である。
【符号の説明】
【００４１】
１  コンピュータ
２  制御装置
３  ハンドセット
４  ハンドセットホルダー
５  ケーブル
６  ＵＳＢ端子
７  接続ポート
１０  マウスポインタ
【図１】
2005321990.tif 000003
【図２】
2005321990.tif 000004
【図３】
2005321990.tif 000005
【図４】
2005321990.tif 000006
【図５】
2005321990.tif 000007
【図６】
2005321990.tif 000008
【図７】
2005321990.tif 000009